(57)【要約】  第１の無線局（２０）から第２の無線局（３０）にハイファイでオーディオ信号を送信するシステム及び方法が提供されている。前記無線局は、bluetooth規格を用いて動作する。第１の無線局（２０）において、オーディオ信号の第１の表現は、オーディオ入力装置（５２）からコデック６２に直接送られる。オーディオ信号の第２の表現は、第１の表現とともに、コデック６２に到着したときに第１の表現と位相が異なるように、遅延装置（５４）を通過する。サンプリング及び符号化（６２）終了後、デジタル信号は、無線リンク（４０）の二つの異なった同期チャネルを用いて、第２の無線局（３０）に送信される。第２の無線局（３０）において、各チャネルから受信された信号は復号され（６２）、アナログ信号が生成される。チャネルの一つからのオーディオ信号は、他のチャネルから受信した信号の位相に一致させるために、遅延装置（５６）を通過する。そして、そのアナログ信号は、オーディオ出力装置（５８）に提供され、例えば、音声認識システムによって評価される。
2005513542.tif 000002
【特許請求の範囲】
【請求項１】
無線ユニット間でハイファイサウンドを送信するシステムであって、
可聴サウンドを受信し、可聴サウンドを示す信号を生成し得るオーディオインタフェースと、
オーディオインタフェースからの信号の第１の部分と第２の部分とを符号化し得るコーディングモジュールとを備え、
その第１の部分と第２の部分によって示される可聴サウンドは、８キロヘルツより大きいレートで符号化され、
第１の符号化された部分を第１の同期チャネルを通じて送信し、第２の符号化された部分を第２の同期チャネルを通じて送信し得る無線モジュールを備える
ことを特徴とする無線ユニット間でハイファイサウンドを送信するシステム。
【請求項２】
請求項１に記載のシステムにおいて、
オーディオインタフェースは、
可聴サウンドを受信し、その可聴サウンドを示すアナログ信号を生成し得る第１の入力装置と、
可聴サウンドを受信し、その可聴サウンドを示すアナログ信号を生成し得る第２の入力装置と、
第２の入力装置からのアナログ信号を遅延させ得る遅延装置とを備える
ことを特徴とする無線ユニット間でハイファイサウンドを送信するシステム。
【請求項３】
請求項２に記載のシステムにおいて、
第１の入力装置はマイクロフォンである
ことを特徴とする無線ユニット間でハイファイサウンドを送信するシステム。
【請求項４】
請求項１に記載のシステムにおいて、
コーディングモジュールは、
その信号の一部をあるレートで符号化し得る第１のエンコーダと、
その信号の一部をあるレートで符号化し得る第２のエンコーダとを備え、
第２のエンコーダによって符号化されたアナログ信号は、第１のエンコーダによって符号化された信号と位相が異なる
ことを特徴とする無線ユニット間でハイファイサウンドを送信するシステム。
【請求項５】
請求項４に記載のシステムおいて、
第２のエンコーダによって符号化された信号は、第１のエンコーダによって符号化された信号と１８０度位相が異なる
ことを特徴とする無線ユニット間でハイファイサウンドを送信するシステム。
【請求項６】
請求項１に記載のシステムにおいて、
コーディングモジュールは、Ｇ．７１１に従って信号を符号化する
ことを特徴とする無線ユニット間でハイファイサウンドを送信するシステム。
【請求項７】
請求項１に記載のシステムにおいて、さらに、
ハイファイサウンドが送信されるべきかを判断し、もしハイファイサウンドが送信されるべきなら無線モジュールに同期チャネルを確立するよう指示し得るコントローラを備える
ことを特徴とする無線ユニット間でハイファイサウンドを送信するシステム。
【請求項８】
請求項１に記載のシステムにおいて、
第１の同期チャネルと第２の同期チャネルは、同期コネクション指向のリンクからなる
ことを特徴とする無線ユニット間でハイファイサウンドを送信するシステム。
【請求項９】
請求項１に記載のシステムにおいて、
無線モジュールは、さらに、可聴サウンドを示す第１の符号化された部分と第２の符号化された部分を受信し、その第２の部分は第１の部分と位相が異なり、
コーディングモジュールは、さらに、第１の符号化された部分と第２の符号化された部分を復号し得る
ことを特徴とする無線ユニット間でハイファイサウンドを送信するシステム。
【請求項１０】
請求項９に記載のシステムにおいて、
コーディングモジュールは、さらに、
可聴サウンドを示すアナログ信号を生成し、その第１の部分からのアナログ信号を第１のリンクを通じて送信し、その第２の部分からのアナログ信号を第２のリンクを通じて送信することができ、さらに、
第１のリンクに接続され、第２のリンク上のアナログ信号と位相を一致させるように第１のリンク上のアナログ信号を遅延させ得る遅延装置と、
第１のリンクと第２のリンクに接続され、第１そして第２のリンク上のアナログ信号に基づいて可聴サウンドを生成し得るオーディオ出力装置とを備える
ことを特徴とする無線ユニット間でハイファイサウンドを送信するシステム。
【請求項１１】
無線ユニット間でハイファイサウンドを送信する方法であって、
無線ユニットにおいて可聴サウンドを受信し、
可聴サウンドを示す信号を生成し、
その信号の第１の部分を符号化し、
その信号の第２の部分を符号化し、
第１の符号化された部分を第１の同期チャネルを通じて送信し、
第２の符号化された部分を第２の同期チャネルを通じて送信し、
その第１の部分と第２の部分によって示される可聴サウンドは、８キロヘルツより大きいレートで符号化される
ことを特徴とする無線ユニット間でハイファイサウンドを送信する方法。
【請求項１２】
請求項１１に記載の方法において、
信号の生成は、
可聴サウンドを示すアナログ信号の２つのセットを生成し、
第２のアナログ信号のセットを、第１のアナログ信号のセットと位相を異ならせるために遅延させる
ことを特徴とする無線ユニット間でハイファイサウンドを送信する方法。
【請求項１３】
請求項１２に記載の方法において、
その遅延の結果、第２のアナログ信号のセットを第１のアナログ信号のセットと１８０度位相を異ならせる
ことを特徴とする無線ユニット間でハイファイサウンドを送信する方法。
【請求項１４】
請求項１１に記載の方法において、
その信号の第１の部分の符号化は、あるレートでその信号の一部を符号化し、
その信号の第２の部分の符号化は、そのレートでその信号の一部を符号化する
ことを特徴とする無線ユニット間でハイファイサウンドを送信する方法。
【請求項１５】
請求項１１に記載の方法において、
そのアナログ信号はＧ．７１１に従って符号化される
ことを特徴とする無線ユニット間でハイファイサウンドを送信する方法。
【請求項１６】
請求項１１に記載の方法において、さらに、
ハイファイサウンドが送信されるべきかを判断し、
ハイファイサウンドが送信されるべきなら、同期チャネルを確立する
ことを特徴とする無線ユニット間でハイファイサウンドを送信する方法。
【請求項１７】
請求項１６に記載の方法において、
ハイファイサウンドが送信されるべきかの判断は、
ハイファイサウンドが望まれていることを示すメッセージを受信することを含む
ことを特徴とする無線ユニット間でハイファイサウンドを送信する方法。
【請求項１８】
請求項１１に記載の方法において、
第１の同期チャネルと第２の同期チャネルは、同期コネクション指向のリンクからなる
ことを特徴とする無線ユニット間でハイファイサウンドを送信する方法。
【請求項１９】
請求項１１に記載の方法において、さらに、
可聴サウンドを示す第１の符号化された部分と第２の符号化された部分を受信し、
その第２の部分は第１の部分と位相が異なり、
第１の符号化された部分と第２の符号化された部分を復号する
ことを特徴とする無線ユニット間でハイファイサウンドを送信する方法。
【請求項２０】
請求項１９に記載の方法において、さらに、
第１のリンク上に第１の符号化された部分の可聴サウンドを示すアナログ信号を生成し、
第２のリンク上に第２の符号化された部分の可聴サウンドを示すアナログ信号を生成し、
第１のリンク上のアナログ信号を遅延させて、第２のリンク上のアナログ信号と位相を一致させ、
第１と第２のリンク上のアナログ信号に基づいて可聴サウンドを生成する
ことを特徴とする無線ユニット間でハイファイサウンドを送信する方法。
【請求項２１】
無線ユニット間でハイファイサウンドを送信するシステムであって、
第１の同期チャネルと第２の同期チャネルの確立を容易にし、第１の同期チャネルを通じて可聴サウンドの符号化された部分を受信し、第２の同期チャネルを通じて可聴サウンドの符号化された部分を受信し、
その符号化された可聴サウンドは、８キロヘルツより大きいレートで符号化された部分によって示され、
その符号化された部分を分析して、それらがどの可聴サウンドを示すかを決定し、示された可聴サウンドに基づいてコマンドを決定する
ことを特徴とする無線ユニット間でハイファイサウンドを送信するシステム。
【請求項２２】
請求項２１に記載のシステムにおいて、
第１の同期チャネルからの符号化された部分は、第２の同期チャネルからの符号化された部分と１８０度位相が異なる
ことを特徴とする無線ユニット間でハイファイサウンドを送信するシステム。
【請求項２３】
請求項２１に記載のシステムにおいて、さらに、
符号化された部分を、可聴サウンドを示すアナログ信号に復号し得るコーディングモジュールと、
そのアナログ信号に基づいて、可聴サウンドを生成し得るオーディオインタフェースとを備える
ことを特徴とする無線ユニット間でハイファイサウンドを送信するシステム。
【請求項２４】
請求項２３に記載のシステムにおいて、
そのオーディオインタフェースは、さらに、可聴サウンドを受信し、可聴サウンドを示すアナログ信号を生成することができ、
そのコーディングモジュールは、さらに、そのアナログ信号を符号化することができ、
その無線モジュールは、さらに、符号化された音響信号を送信することができる
ことを特徴とする無線ユニット間でハイファイサウンドを送信するシステム。
【請求項２５】
請求項２１に記載のシステムにおいて、
その同期チャネルは、同期コネクション指向のリンクからなる
ことを特徴とする無線ユニット間でハイファイサウンドを送信するシステム。
【請求項２６】
無線ユニット間でハイファイサウンドを送信する方法であって、
第１の同期チャネルと第２の同期チャネルを確立し、
第１の同期チャネルを通じて可聴サウンドの符号化された部分を受信し、
第２の同期チャネルを通じて可聴サウンドの符号化された部分を受信し、
その符号化された部分を解析して、その部分によって示される可聴サウンドを決定し、
示される可聴サウンドに基づいてコマンドを決定し、
その部分によって示される符号化された可聴サウンドは、８キロヘルツより大きいレートで符号化されている
ことを特徴とする無線ユニット間でハイファイサウンドを送信する方法。
【請求項２７】
請求項２６に記載の方法において、さらに、
符号化された部分をアナログ信号に復号し、
そのアナログ信号に基づいて可聴サウンドを生成する
ことを特徴とする無線ユニット間でハイファイサウンドを送信する方法。
【請求項２８】
請求項２６に記載の方法において、さらに、
可聴サウンドを受信し、
その可聴サウンドに基づいてアナログ信号を生成し、
そのアナログ信号を符号化し、
その符号化された可聴サウンドを送信する
ことを特徴とする無線ユニット間でハイファイサウンドを送信する方法。
【請求項２９】
請求項２６に記載の方法において、
第１の同期チャネルからの符号化された部分と、第２の同期チャネルからの符号化された部分とは、位相が異なる
ことを特徴とする無線ユニット間でハイファイサウンドを送信する方法。
【請求項３０】
請求項２６に記載の方法において、
その無線チャネルは、同期コネクション指向のリンクからなる
ことを特徴とする無線ユニット間でハイファイサウンドを送信する方法。
【請求項３１】
無線ユニット間でハイファイサウンドを送信するシステムであって、
可聴サウンドを受信し、可聴サウンドを示すアナログ信号を生成し得るオーディオインタフェースと、
第１のオーディオ入力装置からのアナログ信号の一部と第２のオーディオ入力装置からの遅延されたアナログ信号の一部を符号化し得るコーディングモジュールと、
もしハイファイサウンドが送信されるべきなら、２つの同期コネクション指向のリンクを確立し、第１の同期コネクション指向のリンクを通じて、第１のエンコーダからの符号化された部分を送信し、第２の同期コネクション指向のリンクを通じて、第２のエンコーダからの符号化された部分を送信し得る無線モジュールと、
ハイファイサウンドが送信されるべきかを判断し、もしハイファイサウンドが送信されるべきなら、無線モジュールにリンクを確立するよう指示し得るプロセッサとを備え、
そのオーディオインタフェースは、
可聴サウンドを受信し、可聴サウンドを示すアナログ信号を生成し得る第１のオーディオ入力装置と、
可聴サウンドを受信し、可聴サウンドを示すアナログ信号を生成し得る第２のオーディオ入力装置と、
第１のオーディオ入力装置からのアナログ信号と１８０度位相を異ならせるように、第２のオーディオ入力装置からのアナログ信号を遅延させ得る遅延装置とを備え、
そのコーディングモジュールは、
Ｇ．７１１に従って第１のオーディオ入力装置からのアナログ信号の一部を符号化し得る第１のエンコーダと、
Ｇ．７１１に従って第２のオーディオ入力装置からのアナログ信号の一部を符号化し得る第２のエンコーダとを備える
ことを特徴とする無線ユニット間でハイファイサウンドを送信するシステム。
【発明の詳細な説明】
【技術分野】
【０００１】
本発明は、一般には、無線通信に関し、特に、無線ユニット（wireless  units）間で音声を送信するシステム及び方法に関するものである。
【背景技術】
【０００２】
無線技術は電子装置間のデータ送信を、装置を物理的に連結することを必要とせずに可能にする。従って、今日の高度移動社会においては、無線技術を用いたデータ送信は、ユーザが装置間を物理的に連結するのに時間を取られたり、適切なカプリングを送ることを必要とせずに、電子装置が相互作用できる点で、ますますその有用性を増している。
【０００３】
いくつかのショートレンジにおける無線技術が、現在、この目標の達成のために、開発されつつある。無線通信において相当な関心を集めているこのような技術の一つは、BluetoothTMとして知られている。BluetoothTM技術は、約１０メートルの距離で機能可能な毎秒１メガビットの無線リンクを使用することを提案している。加えて、この技術は、電話標準及び、毎秒６４キロビットのチャネルに従うことも提案している、このチャネルは、８ビット表示を使う８キロヘルツのサンプルレートに対応し、無線ユニット間で可聴サウンドを表すデータを送る。
【０００４】
残念なことに、多くの音声認識システム（voice  recognition  system）は、８ビット表示を使う８キロヘルツのサンプルレートによってもたらされるハイファイサウンド（high  fidelity  sound）であることを要求する。さらに、ハイファイ音楽及び音声転換（speech  conversion）のためのテキストは、８キロヘルツより大きい、通常は１６キロヘルツくらいのサンプルレートを必要とする。従って、これらのシステムはこの無線技術では使用することはできない。
【発明の開示】
【発明が解決しようとする課題】
【０００５】
本発明は、無線ユニット間で可聴サウンド（audible  sound）を送る従来のシステム及び方法の欠点を本質的に減らすあるいは少なくともいくつかを減らすシステムを提供する。従って、本発明は、無線ユニット間でハイファイサウンド（high  fidelity  sound）を送信するシステム及び方法を提供する。
【課題を解決するための手段】
【０００６】
ある実施例では、無線ユニット間にハイファイサウンドを送るためのシステムは、オーディオインタフェース、コーディングモジュールそして無線モジュールを有する。オーディオインタフェースは可聴サウンドを受信し、可聴サウンドを示す信号を生成し得る。コーディングモジュールはオーディオインタフェースからの信号の第１の部分及び第２の部分を符号化し、その可聴サウンドは、８キロヘルツよりも大きなレートで符号化された第１の部分及び第２の部分によって示される。無線モジュールは、第１の符号化された部分を第１の同期チャネルを通じて送信することができ、第２の符号化された部分を第２の同期チャネルを通じて送信することができる。
【０００７】
ある実施例では、無線ユニット間にハイファイサウンドを送るための方法は、可聴サウンドを受信し、可聴サウンドを示す信号を生成することを含む。この方法はまた、その信号の第１の部分及び第２の部分を符号化することを含み、その可聴サウンドは、８キロヘルツよりも大きなレートで符号化された第１の部分及び第２の部分によって示される。そして、その方法は、さらに、第１の同期チャネルを通じて第１の符号化された部分を送信し、第２の同期チャネルを通じて第２の符号化された部分を送信することも含む。
【０００８】
本発明はいくつかの技術的利点がある。例えば、本発明は、無線ユニット間にハイファイサウンドを送ることを可能にする。このようにして、第２の無線ユニットは第１の無線ユニットにおいて受信された可聴コマンドに応答する。さらに、ハイファイ音楽が一つの無線ユニットから別の無線ユニットに送られる。他の例としては、ある実施例では、ハイファイサウンドが２つの無線ユニット間で交換される。従って、ハイファイサウンドを送信している無線ユニットは、また、ハイファイサウンドを受信する。このことは、可聴コマンド、そして／または無線ユニット間の会話の交換を可能にすることに役立つ。さらなる例としては、ある実施例では、可聴サウンドを示す２つのアナログ信号が生成され、可聴サウンドからの改良されたノイズ除去が可能になる。もちろん、発明の異なる実施例では、これらの技術的利点そして／または追加的技術的利点を持たないか、１つ、いくつか、または全てを持つことがある。
【０００９】
他の技術的利点は、当業者にとって、以下の図、記述そしてクレームを通じて容易に理解される。
【発明を実施するための最良の形態】
【００１０】
図１は、本発明の１つの実施例に従った無線ユニット間でハイファイサウンドを送るシステム１０を示す。図で示されているように、システム１０は、携帯可能なあるいは携帯できない無線ユニット２０及び無線ユニット３０を有する。一般に、無線ユニット２０は、ハイファイサウンドを示すデータを無線ユニット３０に無線リンク４０を通じて伝達し、無線ユニット３０は、そのデータを受信して、そのタイプに従った処理を行う。ここで使われているように、ハイファイサウンドは、約８キロヘルツより大きいサンプルを有する可聴サウンド表現を意味する。他の実施例では、システム１０は追加的な無線ユニットを有する。
【００１１】
さらに詳しく言えば、無線ユニット２０は、オーディオインタフェース２２、コーディングモジュール２４、無線モジュール２６そしてアンテナ２９を有する。オーディオインタフェース２２は、可聴サウンドを無線ユニット２０のユーザから受信し、可聴サウンドを示す信号を生成し得る。オーディオインタフェース２２が背後のノイズや音楽のような無線ユニット２０の近くの他の音声もまた探知することに注意すべきである。コーディングモジュール２４はオーディオインタフェース２２と接続され、可聴サウンドを示す信号を可聴サウンドのハイファイ表現に符号化することができ、符号化された可聴サウンドは１つのデータ形式である。ある特定の実施例では、コーディングモジュール２４は、また、ノイズに対してその信号をフィルタリングする。無線モジュール２６は、コーディングモジュール２４と接続され、符号化された可聴サウンドを、無線リンク４０を通じた適切なフォーマットトランスミッションに変換し、無線モジュール２６と接続しているアンテナ２９を用いて、無線リンク４０を通じて、その符号化された可聴サウンドを送信する機能を果たす。その送信を実現するためには、無線モジュール２６は、複数の無線チャネルを確立し、使用する。例えば、無線ユニット２０がBluetoothTMのプロトコルに従って動作する実施例では、２つの同期コネクション指向のリンクを確立し、使用する。ある実施例では、無線ユニット２０は、また、無線リンク４０を通じて、標準あるいは低い忠実度の音声を送信することができる。
【００１２】
無線ユニット３０は、プロセッサ３２、メモリ３３、無線モジュール３４及びアンテナ３６を有する。無線ユニット２０が無線リンク４０を通じてデータを送信する場合は、無線モジュール３４は、無線モジュール３４と接続したアンテナ３６を通じてデータを受信する。無線モジュール３４は、符号化されたデータを無線フォーマットからプロセッサ３２に受け入れ可能なフォーマットに変換し得る。無線モジュール３４に接続されたプロセッサ３２は、符号化されたデータをメモリ３３における符号化された指示に従って分析する。もし、データが可聴サウンドを表している場合は、プロセッサ３２は、そのデータにより表された可聴サウンドを決定し、無線ユニット２０のユーザからの通信を受ける。プロセッサ３２は互換性音声応答技術（ＩＶＲ）または他の適合するタイプの音声認識技術を用いて、これを実現する。ある特定の実施例では、プロセッサ３２は、また、ノイズに対して、符号化された可聴サウンドをフィルタリングする。プロセッサ３２は、解読された可聴サウンドに基づいて、コマンドを生成する。例えば、プロセッサ３２は、アプリケーションを開始するコマンドを生成し、無線ユニット２０に音響メッセージを伝え、例えば、携帯電話あるいはパーソナルデジタルアシスタント、または他の適当なタイプの電子的に指示されるオペレーションのような、関連する電子装置を操作する。
【００１３】
特定の実施例では、無線ユニット２０は、無線ユニット２０に送信する前に、符号化された可聴サウンドを蓄積する。蓄積された可聴サウンドはオーディオインタフェース２２により受信され、コーディングモジュール２４により符号化されるか、そうでなければ、有線あるいは無線データ通信によって、符号化されたフォーマットであるか非符号化されたフォーマットであるかを問わず、無線ユニット２０により受信される。従って、一般に、可聴サウンドは、アナログあるいはデジタルフォーマットのどちらであっても、有線あるいは無線の入力により受信され、任意のソースから発信される。
【００１４】
ある特定の実施例では、無線ユニット３０は、無線ユニット２０に可聴サウンドを送信する。この一つの例としては、プロセッサ３２が、無線ユニット２０のユーザに対して例えばｅメールのようなメッセージを音響的に通信するためのコマンドを受信する。これを実現するには、プロセッサ３２は、アンテナ３６を用いて、無線リンク４０を通じ、符号化された可聴サウンドを無線モジュール３４に送る。送信されるべき可聴サウンドは、オーディオインタフェース２２と似たオーディオインタフェースにおいて受信され、メモリ３３中において、符号化されたフォーマットで蓄積され、そして／またはプロセッサ３２により形成される。上記例では、メモリ３３は、スピーチ変換指示のテキストを有する。オーディオインタフェースで受信されるなら、無線ユニット３０は、可聴サウンドを符号化するためのコーディングモジュール２４と似たコーディングモジュールを有する。さらに、無線ユニット３０は、プロセッサ３２及びメモリ３３を含まない場合がある。無線ユニット２０は、符号化された可聴サウンドを、アンテナ２９を通じて無線モジュール２６において受信する。そして、コーディングモジュール２４は、可聴サウンドを示すデータを復号し、復号されたデータを、その復号されたデータに基づいて可聴サウンドを生成するオーディオインタフェース２２に送信する。無線ユニット３０により送信されたサウンドは、低い忠実度（low  fidelity）の場合もあれば、標準またはハイファイ（high  fidelity）な場合もある。ある特定の実施例では、プロセッサ３２は、可聴サウンドを無線ユニット２０に送信し、無線ユニット２０は、また、送信された可聴サウンドを決定し、可聴サウンドに基づくコマンドを生成するためのプロセッサ３２に似たプロセッサを有する。
【００１５】
いくつかの実施例において、無線ユニット３０は、無線ユニット３０のユーザのための可聴サウンドを生成することが可能である。これらの実施例では、無線ユニット３０は、コーディングモジュール２４に似たコーディングモジュールを有し、オーディオインタフェース２２に似たオーディオインタフェースを有している。コーディングモジュールは可聴サウンドを復号し、復号したデータを、復号データに基づいて可聴サウンドを生成するオーディオインタフェースに送る。これらの実施例では、無線ユニット３０は、プロセッサ３２及びメモリ３３を有する場合もあれば有さない場合もある。ある特定の実施例では、無線ユニット３０は、適当な音声テキスト変換技術を用いて、符号化された可聴サウンドに基づいてテキストを生成することが可能な場合もある。これは、例えば、無線ユニット３０のユーザが聴覚障害の場合に有用である。
【００１６】
無線ユニット２０の構成要素としては、様々な形式そして／または組み合わせがある。例えば、オーディオインタフェース２２は、マイクロフォン、スピーカそして／または他の適当なタイプのオーディオ入力装置そして／または出力装置を有する。他の例としては、コーディングモジュール２４は、一つあるいは複数のコーダー、コデック、そして／または可聴サウンドを示す電気信号を符号化してデータにし、そして／または、そのデータを復号して可聴サウンドを示す電気信号にするための他の任意のタイプの装置を有する。さらに、コーディングモジュール２４の構成要素は、プロセッサ、マイクロコントローラ、アプリケーション特定集積回路（ＡＳＩＣｓ）、フィールドプログラムゲートアレイ（ＦＰＧＡｓ）、アンプ、フィルタ、アナログデジタル変換器そして／または電気信号そして／またはデータを操作するための他の任意の適合するタイプの装置からなる。さらなる例としては、無線モジュール２６は、トランスミッタ、トランシーバ、オシレータ、エンベロープディテクター、そして／または無線リンク４０を通じてデータを送信し、そして／または受信するための他の任意の適合する装置を有する。
【００１７】
加えて、無線ユニット３０の構成要素として、様々な形式そして／または組み合わせがある。例えば、プロセッサ３２は、マイクロプロセッサ、マイクロコントローラ、ＡＳＩＣ、ＦＰＧＡそして／または、データを操作するための他の任意の適合する装置を有する。他の例としては、無線モジュール３４は、レシーバー、トランシーバ、オシレータ、エンベロープディテクター、そして／または無線リンク４０を通じてデータを送信するための他の任意の適合する装置を有する。さらなる例としては、メモリ３４は、リードオンリーメモリ（ＲＯＭ）、ランダムアクセスメモリ（ＲＡＭ）、コンパクトディスクリードオンリーメモリ（ＣＤ−ＲＯＭ）、電子的消去可能プログラマブルリードオンリーメモリ（ＥＥＰＲＯＭ）、そして／または、他の任意のタイプの電磁的または光学的な揮発性または不揮発性的データストレージ装置を有する。いくつかの実施例では、メモリ３３の全部あるいは一部はプロセッサ３２上で符号化される。
【００１８】
無線リンク４０は、電磁的スペクトラムの任意の適合する適当な領域にあり、不定の、または周波数ホッピングされたキャリアー周波数を用いる。無線ユニット２０がBluetoothＴＭプロトコルを実装する実施例では、無線リンク４０は、２４ＧＨｚの産業、科学、そして医学（ＩＳＭ）周波数帯において周波数ホッピングされる。
【００１９】
図２は、本発明に従った無線ユニット２０の１つの実施例を示す。上記のように、無線ユニット２０はオーディオインタフェース２２、コーディングモジュール２４、無線モジュール２６及びアンテナ２９を有する。さらに、この実施例では、無線ユニット２０はコントローラ２８も有する。
【００２０】
オーディオインタフェース２２は、オーディオ入力装置５２、リンク５３、遅延装置５４、リンク５５、遅延装置５６そしてオーディオ出力装置５８を有する。オーディオ入力装置５２は、可聴サウンドを受信し、可聴サウンドを示すアナログ信号を生成し得る。リンク５３ｂは、それに連結された遅延装置５４を有するが、リンク５３は、オーディオ入力装置５２とコーディングモジュール２４を連結する。リンク５５ａは、それに連結した遅延装置５６を有するが、リンク５５はコーディングモジュール２４をオーディオ出力装置５８に連結する。オーディオ出力装置５８は、受信したアナログ信号に基づいて可聴サウンドを生成し得る。
【００２１】
コーディングモジュール２４は、コデック（codec）６２、リンク６４そしてリンク６６を有する。前述したように、コデック６２はオーディオ入力装置５２に連結され、オーディオ入力装置５２から可聴サウンドを示すアナログ信号を受信する。コデック６２は、可聴サウンドを示すアナログ信号を符号化し、リンク６４を通じてそのデータを無線モジュール２６に提供し得る。加えて、コデック６２は、リンク６６を通じて、コントローラ２８からの符号化された可聴サウンドを受信する。コデック６２は、リンク５５を通じて、コントローラ２８からの符号化された可聴サウンドを示すアナログ信号を提供し得る。
【００２２】
無線モジュール２６は、ベースバンドコントローラ７２、トランシーバ７４そしてリンク７６を有する。前述したように、無線モジュール２６は、コーディングモジュール２４と接続され、ベースバンドコントローラ７２において、コデック６２からの符号化された可聴サウンドを受信する。ベースバンドコントローラ７２は、符号化された可聴サウンドを、例えば、符号化されたデータに基づいたモジュレーションシーケンスを決定し、データ送信のためのチャネルを確立し、符号化されたデータ用の適当なパッケージングを提供し、そして／または、他の任意の適当な機能を果たすことによって、無線リンク４０を通じた送信に適したフォーマットに変換する。トランシーバ７４は、ベースバンドコントローラ７２に接続され、ベースバンドコントローラ７２からのデータに基づいて、そのデータを示す電磁的信号を送信し得る。トランシーバ７４は、例えば、そのデータに基づいてキャリアー周波数を変調することでこれを実現する。ベースバンドコントローラ７２は、また、リンク７６によってコントローラ２８に接続される。ベースバンドコントローラ７２は、リンク７６を通じて、コントローラ２８から指示を受信し、コントローラ２８にデータを送信し得る。
【００２３】
前述したように、コントローラ２８は、コデック６２及びベースバンドコントローラ７２に、それぞれリンク６６及びリンク７６によって接続される。コントローラ２８は、可聴サウンドを示すデータを処理し、無線リンク４０を通じた入力データを処理するように、コデック６２及びベースバンドコントローラ７２を設定する。ある実施例では、コントローラ２８は、符号化された音響信号を互いに関連付け得る。
【００２４】
オペレーションにおいては、コントローラ２８は、送信されるべきハイファイサウンドを決定する。コントローラ２８は、受信する無線ユニットがその送信された可聴サウンドを何に利用するかを判断し、その受信する無線ユニットからハイファイサウンドが要求されていることを示すメッセージを受信し、その無線ユニットのユーザからコマンドを受信することによって、そして／または他の任意の処理によって、この決定を行う。しかし、ある実施例では、コントローラ２８は、ハイファイサウンドを送信すべきか否かを決定しない。これは、例えば、無線ユニット２０が常にハイファイサウンドを送信する場合に起こる。ハイファイサウンドが送信される場合、コントローラ２８はベースバンドコントローラ７２に無線チャネルを確立するよう指示を出す。無線モジュール２６がBluetoothTMプロトコルを実装する実施例では、ベースバンドコントローラ７２は、受信する無線ユニットとの同期的コネクション指向のリンクのための、要求、交渉、タイミング、パケットタイプ、符号化タイプによってこれを実現する。
【００２５】
オーディオ入力装置５２ａが可聴サウンドを受信すると、これらを示すアナログ信号を生成する。オーディオ入力装置５２ｂは、可聴サウンドを受信し、リンク５３ｂ上に、これらを示すアナログ信号を生成する。しかし、リンク５３ｂ上のアナログ信号は、コデック６２に到着したときにはオーディオ入力装置５２ａからのアナログ信号と位相が異なるように遅延装置５４によって遅延される。ある特定の実施例では、他の任意の適当な関係が用いられるものの、リンク５３上のアナログ信号は、コデック６２に到着したときには、１８０度位相が異なる。
【００２６】
コデック６２は、ノイズに対してそのアナログ信号をフィルタリングし、オーディオ入力装置５２ａからのアナログ信号とオーディオ入力装置５２ｂからの遅延されたアナログ信号を符号化する。コデック６２は、あるレートで各オーディオ入力装置５２からのアナログ信号をサンプリングして、各サンプルのデジタル表現を生成することによって、この動作を行う。ある特定の実施例では、コデック６２は、サンプルされた部分の信号を表すために８ビットを用いて、約８キロヘルツにおいて各アナログ信号をサンプリングする。いくつかのサンプルの集合は、可聴サウンドの一部分を表す。例えば、そのようなサンプルの１０個の集合は、１．２５ｍｓの可聴サウンドの部分を表す。
【００２７】
コデック６２は、各アナログ信号の符号化された部分を、リンク６４を通じてベースバンドコントローラ７２に提供し、リンク６４ａは、オーディオ入力装置５２ａからの信号の符号化された部分を運び、リンク６４ｂは、オーディオ入力装置５２ｂからの信号の符号化された部分を運ぶ。ベースバンドコントローラ７２は、無線リンク４０を通じて送信するための符号化部分を準備し、準備された符号化部分をトランシーバ７４に送る。無線ユニット２０がBluetoothTMプロトコルを実装する無線ユニット２０の実施例では、ベースバンドコントローラ７２は、典型的には、例えば、プロトコル多重機能、分割動作および再組み立て動作、そしてグループ抽出を用いて、より上位の層へのコネクション指向およびコネクションレスのデータサービスを行う論理リンク制御およびアダプテーションプロトコル（Ｌ２ＣＡＰ）のようなBluetoothTMスタックのボトムレイヤを実装する、トランシーバ７４は、既に確立された無線リンク４０の、あるチャネルは、オーディオ入力装置５２ａからの可聴サウンドを示す部分用であり、あるチャネルは、オーディオ入力装置５２ｂからの可聴サウンドを示す部分用である、様々なチャネルを通じて、準備された符号化部分を送信する。トランシーバ７４は、例えば、キャリアー周波数を変調することでこれを実現する。
【００２８】
もし、無線ユニット２０が、可聴サウンドを無線リンク４０を通じて受信すると、可聴サウンドは無線リンク４０を通じて送信するためのフォーマットに符号化される。このようにして、可聴サウンドを示すデータは、例えば、キャリアー周波数を取り出すといったデータ処理の最初のステップを行うトランシーバ７４によって、アンテナ２９を経由して受信され、可聴サウンドを無線フォーマットから符号化されたフォーマットに変換し、符号化された可聴サウンドをコントローラ２８に提供するベースバンドコントローラ７２に送信される。そして、コントローラ２８は、受信したデータが符号化された可聴サウンドか否かを決定し、もしそうであれば、データをコデック６２に提供する。ある特定の実施例では、コントローラ２８はまた、例えば、その可聴サウンドが、同じチャネルから、あるいは他のチャネルからの他の符号化された可聴サウンドと関連するかどうかを決定する。コントローラ２８は、無線リンク４０のためのチャネル確立に関する情報を蓄積し、符号化された可聴サウンドに関する識別子を検査することによって、または、他の任意の適当な技術を使って、符号化された可聴サウンドが他のチャネルからの符号化された可聴サウンドと関連するかどうかを決定する。コントローラ２８が他のチャネルからの可聴サウンドと関連すると認識すると、コントローラ２８は、リンク６６を通じて、両方のチャネルからの符号化された可聴サウンドをコデック６２へ提供する。符号化された可聴サウンドを受信すると、コデック６２は、各チャネルからの符号化された可聴サウンドを復号し、リンク５５上に符号化データを示すアナログ信号を発生させる。入力チャネルの一つと関連したアナログ信号は、リンク５５ａを通じて出力され、他のチャネルに関連したアナログ信号はリンク５５ｂを通じて出力される。このようにして、１つのチャネルのアナログ信号は、アナログ信号をリンク５５ｂ上のアナログ信号の位相に一致させるためにシフトする遅延装置５６に行き着く。そして、アナログ信号は、アナログ信号に基づいて、モノラルあるいはステレオの可聴サウンドを生成するオーディオ出力装置５８に提供される。しかし、符号化された可聴サウンドが無線リンク４０の他のチャネルからの可聴サウンドと関連しないときは、コントローラ２８は、コデック６２に符号化された可聴サウンドを復号するために送信し、出力装置５８に出力する。
【００２９】
従って、無線ユニット２０の本実施例は、無線リンク４０を通じてハイファイサウンドを送信し、受信する。加えて、いくつかの実施例では、コントローラ２８は、無線リンク４０を通じて到着した符号化された可聴サウンドを復号して、それが示す可聴サウンドを決定し、無線ユニット２０に何らかのコマンドが送られたか否かを決定することができる。さらに、ある特定の実施例では、コントローラ２８は、スピーチが存在するか否かを決定するためにオーディオインタフェース２２において受信された可聴サウンドを解析することができる。このことは、もしコントローラ２８が、例えば、背後のノイズのようなスピーチを含まない可聴サウンドの送信を制限することができれば、無線リンク４０のリソースを節約することに資する。
【００３０】
無線ユニット２０の本実施例の構成要素は、様々な形式、そして／または組み合わせを有する。例えば、オーディオ入力装置５２は、マイクロフォンあるいは受信した可聴サウンドに基づいてアナログ信号を生成する他の任意のタイプの装置であり、オーディオ出力装置５８は、スピーカ、または、受信したアナログ信号に基づいて可聴サウンドを生成する他の任意のタイプの装置である。リンク５３及び５５は、単一線シリアルリンク、二重線シリアルリンク、そして、他の任意の適当なタイプのシリアル通信リンク、あるいは、他の任意のタイプのリンクである。他の例としては、コデック６２は、任意の適当なタイプのアナログ信号をパケットタイプのデータに、パケットタイプのデータをアナログ信号に変換する装置である。さらに、コデック６２はパルスコード変調された出力を有し、例えばＧ７１１、Ｇ７２１あるいはＧ７２９のような任意の適当なタイプの符号化に従って動作する任意の産業標準ベースバンドコデックである。ある特定の実施例では、コデック６２は、各オーディオ入力装置５２用の、そして／または、符号化された可聴サウンドを提供するチャネル用の２つのコデックからなる。いくつかの実施例では、各コデックは、受信したアナログ信号を約８キロヘルツのレートで符号化し、可聴サウンドに対する約１６キロヘルツの合成符号化レートをもたらしている。リンク６４はパルスコード変調されたデータを運ぶための任意の適当なタイプのリンクである。さらなる例としては、ベースバンドコントローラ７２は無線リンク４０を通じて送信するためにデジタルデータを準備する任意のタイプの装置であり、トランシーバ７４は、無線リンク４０を通じて電磁的信号を送信し、そして／または受信するための任意のタイプの装置である。ある特定の実施例では、トランシーバ７４とベースバンドコントローラ７２は、エリクソン製のROK101 007/1の一部である。他の例としては、コントローラ２８は、マイクロコントローラ、内部のそして／または外部のメモリを持つプロセッサ、ＡＳＩＣ、ＦＰＧＡ、あるいは他の任意のタイプのデータ操作のための装置である。ある特定の実施例では、コントローラ２８は、モトローラ社製のHC912D60である。リンク７６は、一般的な非同期レシーバトランスミッタリンク、他の任意の適当なタイプのシリアル通信リンク、あるいは、他の任意のタイプのリンクである。リンク６６は、単一線シリアルリンク、他の任意の適当なタイプのシリアル通信リンク、あるいは、他の任意のタイプのリンクである。
【００３１】
従って、本実施例は、いくつかの技術的利点を有している。例えば、ハイファイサウンドは、無線ユニット間を送信される。そして、第２の無線ユニットは、第１の無線ユニットで受信された可聴サウンドに応答する。さらにハイファイ音楽が、ある無線ユニットから他の無線ユニットに送信される。他の例としては、ハイファイサウンドが二つの無線ユニット間を交換される。従って、ハイファイサウンドを送信している無線ユニットはハイファイサウンドを受信する。このことは、無線ユニット間で可聴コマンドを交換するのに役立つ。さらなる例としては、可聴サウンドを示す二つのアナログ信号が生成され、可聴サウンドからの改良されたノイズ除去を可能にする。様々な他の技術的特徴が存在する。
【００３２】
図３は、無線リンク４０を通じて可聴サウンドを伝達するためのメッセージフォーマット１００を示す。メッセージフォーマット１００は、ヘッダ部１１０及びペイロード部１２０を有する。ヘッダ部１１０は、アドレスフィールド１１２、データタイプフィールド１１４、確認フィールド１１６及びエラーチェックフィールド１１８を有する。アドレスフィールド１１２は、メッセージを受信する装置のアドレスを有する。このため、受信装置は、メッセージが自分宛かを判断できる。データタイプフィールド１１４には、ペイロード部１２０に、例えば、管理データ、一般データ、そして／または可聴サウンドを表すデータのような、どんなタイプのデータが含まれるかを識別するインディケーターが含まれる。確認フィールド１１６は、メッセージを送信する装置への、前のメッセージが受信されたかを決めるインディケーターを含む。エラーチェックフィールド１１８には、例えば、チェックサムまたはパリティービットのチェックのような、送信中にヘッダ部１１０内でエラーが生じたか否かを決定するために受信装置によって用いられるデータが含まる。ペイロード部１２０は、メッセージにおいて送信された、例えば符号化された可聴サウンドのようなデータを有するデータフィールド１２２を含む。従って、メッセージフォーマット１００は、符号化された可聴サウンドのための無線パッケージングの一つのタイプを示す。
【００３３】
メッセージフォーマット１００は、無線ユニット間に可聴サウンドを送るために使われるメッセージフォーマットの一つの実施例を示すが、使われるメッセージフォーマットには様々なものがある。例えば、いくつかのメッセージフォーマットは、データタイプフィールド１１４、確認フィールド１１６、そして／またはエラーチェックフィールド１１８を含まない。別の例として、別のメッセージフォーマットは、ペイロードセクション１２０に対するエラーチェックを含む。さらなる例として、いくつかのメッセージフォーマットは、メッセージを送信する装置のアドレスを含む。追加的な例として、いくつかのメッセージフォーマットは、同期ワードそして／またはチャネル識別子を含む。様々な他の例が存在する。
【００３４】
図４は、本発明の１つの実施例に従ったハイファイサウンドを無線ユニット間で送信する方法を示すフローチャート４００である。その方法は、無線ユニットと受信無線ユニット間にセッションが既に確立されているか、まだ確立されていない開始ブロック４０２から始まる。判断ブロック４０４において、無線ユニットはハイファイサウンドを送信すべきかを判断する。無線ユニットは、受信する無線ユニットが、送信された可聴サウンドを何に用いるかを判断し、ハイファイサウンドが必要であることを示すメッセージを受信し、無線ユニットのユーザからコマンドを受信することによって、そして／または他の任意の適当なプロセスによって、この判断を行う。仮に、ハイファイサウンドが送信される必要がなければ、無線ユニットは、標準あるいは低忠実度のサウンドを送信することを決定する。もし、無線ユニットが、ハイファイサウンドが送信されるべきだと判断した場合は、ファンクションブロック４０８において、ハイファイサウンドの送信のための同期チャネルを確立する。無線ユニットは、受信する無線ユニットへの二つのチャネルの要求、交渉、タイミング、パケットタイプ、符号化タイプによって、これを実現する。ファンクションブロック４１２において、無線ユニットが可聴サウンドを受信すると、無線ユニットは、ファンクションブロック４１６において、可聴サウンドに基づいてアナログ信号を生成し、ファンクションブロック４２０において、ノイズに対してアナログ信号をフィルタリングする。アナログ信号は、ハイパスフィルタ、ローパスフィルタ、バンドパスフィルタ、あるいは他の任意の適当なタイプのフィルタを用いてフィルタリングされる。無線ユニットは、ファンクションブロック４２４において、アナログ信号の第１の部分を符号化し、ファンクションブロック４２８において、アナログ信号の第２の部分を符号化する。例えば、無線ユニットは、ファンクションブロック４２４においてアナログ信号の第１の部分を符号化でき、ファンクションブロック４２８において、第１の部分と位相が異なる、アナログ信号の第２の部分を符号化でき、あるいは、ファンクションブロック４２４においてアナログ信号の第１の部分を符号化し、ファンクションブロック４２８において、次の部分を符号化し得る。各部分は、例えば、可聴サウンドの数ミリ秒のオーダーにおける、可聴サウンドの同じかまたは異なるタイムセグメントを示している。無線ユニットは、ファンクションブロック４３２において、第１の同期チャネルを通じて、第１の符号化された部分を送信し、ファンクションブロック４３６において、第２の同期チャネルを通じて、第２の符号化された部分を送信する。ファンクションブロック４４０において、無線ユニットは、可聴サウンドの符号化された部分は無線リンクを通じて受信されたかを判断する。可聴サウンドの符号化部分が受信されない場合、無線ユニットは、判断ブロック４６４において、セッションを終了するメッセージがあるかどうかを判断する。そのメッセージは、無線ユニット、受信する無線ユニットあるいは無線ユニットのユーザによって生成される。セッションを終了するメッセージがない場合は、無線ユニットは、ファンクションブロック４１２において、可聴サウンドの受信を継続する。
【００３５】
判断ブロック４４０に戻って、もし可聴サウンドの符号化された部分が、チャネルを通じて受信されると、無線ユニットは、ファンクションブロック４４４において、可聴サウンドの符号化された部分を復号し、ファンクションブロック４４８において、ノイズに対して復号部分をフィルタリングする。ファンクションブロック４５２において、無線ユニットは、異なるリンク上に復号部分を出力する。そして、無線ユニットは、ファンクションブロック４５６において、その部分の一つを遅延させ、ファンクションブロック４６０において、その部分に基づく可聴サウンドを生成する。
【００３６】
フローチャート４００は、ハイファイサウンドを無線ユニット間に送信するための様々な動作を示すが、他の実施例は、より少ない、あるいは多くの、そして／または異なる組み合わせの動作を有する。例えば、ある特定の実施例では、無線ユニットは、可聴サウンドの符号化された部分を受信するように構成されておらず、動作４４０から４６０とは無関係である。他の例としては、ある特定の実施例では、無線ユニットは、標準あるいは低忠実度のサウンドを受信し、これに基づいて可聴サウンドを生成する。さらなる例としては、ある特定の実施例では、無線ユニットは可聴サウンドを処理してテキストに変換する。追加的な例としては、いくつかの実施例では、無線ユニットは、受信した可聴サウンドを示す二つのアナログ信号を作成し、ストリーム間に位相の違いができるように、符号化の前に、一つのストリームを遅延させる。さらなる例としては、ある特定の実施例では、無線ユニットは、ハイファイサウンドを送信すべきかを決定しない。これは、例えば、無線ユニットが、ハイファイサウンドを送信することが通常である場合に起こる。さらに、いくつかの実施例では無線ユニットは、常にハイファイサウンドを送信するように構成されている。もし無線ユニットが、受信する無線ユニットが要求していないのにハイファイサウンドを送信した場合は、受信する無線ユニットは、符号化された可聴サウンドをダウンサンプルする。様々な他の例が存在する。
【００３７】
図５は、本発明の一つの実施例に従った無線ユニット間にハイファイサウンドを送信するための方法を示すフローチャート５００である。その方法は、開始ブロック５０２において開始し、そこでは無線ユニットと送信する無線ユニット間にセッションが確立されている場合もあれば、確立されていない場合もある。無線ユニットは、どのタイプの可聴サウンドが要求されるかを決定し、ハイファイサウンドが送信される送信無線ユニットからのメッセージを受信し、無線ユニットのユーザからコマンドを受信し、あるいは他の任意の適当な処理をすることによって、この判断を行う。判断ブロック５０４においては、無線ユニットは、ハイファイサウンドが受信されるべきかを判断する。ハイファイサウンドが受信される場合は、無線ユニットは、ファンクションブロック５０６において、同期チャネルを確立する。無線ユニットは、同期チャネルの確立を開始し、あるいは、送信無線ユニットが同期チャネルを確立するのを手伝う。無線ユニットは、その後、ファンクションブロック５０８において、第１の同期チャネルを通じて可聴サウンドの符号化された部分を受信し、ファンクションブロック５１２において、第２のチャネルを通じて可聴サウンドの符号化された部分を受信する。ファンクションブロック５１６において、無線ユニットは、符号化された部分が関連するかを決定する。符号化された部分が関連している場合は、無線ユニットは、ファンクションブロック５２０において、これらが示す可聴サウンドを決定するために符号化された部分を解析する。ファンクションブロック５２４においては、無線ユニットは、受信データによって示される可聴サウンドに基づいてコマンドを決定する。無線ユニットは、これを任意の適当な可聴サウンド認識技術を用いて行う。無線ユニットは、例えば、送信された携帯電話に応答するためのコマンドが送信されたか、アプリケーションを開始させるコマンドが送信されたか、アプリケーションを終了させるコマンドが送信されたか、そして／または他の任意の適当なコマンドが送信されたかを決定する。判断ブロック５２８においては、無線ユニットはセッションを終了するメッセージがあるかを判断する。このメッセージは、無線ユニット、送信無線ユニット、あるいは無線ユニットのユーザによって生成される。セッションを終了するメッセージがある場合は、この方法は終了する。しかし、セッションを終了するメッセージがない場合は、無線ユニットは、可聴サウンドの符号化された部分を、無線チャネルを通じて受信し続ける。
【００３８】
フローチャート５００は、無線ユニット間にハイファイサウンドを送信する無線ユニットのための様々な動作を示しているが、本発明の別の実施例は、より少ない、または多い、そして／または様々な動作の組み合わせを有する。例えば、ハイファイサウンドが常に受信される場合は、無線ユニットは、ハイファイサウンドが受信されるべきかを決定しない。他の例としては、いくつかの実施例では、無線ユニットは、例えば、データを復号し、オーディオ出力装置に復号データを提供することによって、入力された符号化データに基づいて可聴サウンドを生成する。さらなる例としては、ある特定の実施例では、無線ユニットは、また、ユーザから可聴サウンドを受信し、符号化し、送信無線ユニットに送信する。様々な例が存在する。
【００３９】
本発明は、主に言語コマンドを別の無線ユニットに送信する無線ユニットに関して説明されてきたが、本発明はそれには限定されない。事実、本発明はハイファイサウンドを様々な目的で送信するのに有用である。
【００４０】
様々な実施例が本発明に関して記述されたが、様々な追加、削除、代替そして変形が、当業者に直ちに示される。従って、以下のクレームはこのような追加、削除、代替及び変形を包含する。
【図面の簡単な説明】
【００４１】
以下の図は、特に以下の記述が参照された時に、本発明とその利術的利点のより完全な理解をもたらす。
【図１】本発明の１つの実施例に従った無線ユニット間でハイファイサウンドを送信するシステムを示す。
【図２】本発明に従った無線ユニットの１つの実施例を示す。
【図３】無線リンクを通じて可聴サウンドを伝達するためのメッセージフォーマットを示す。
【図４】本発明の１つの実施例に従った無線ユニット間でハイファイサウンドを送信する方法を示すフローチャートである。
【図５】本発明の１つの実施例に従った無線ユニット間でハイファイサウンドを送信する他の方法を示すフローチャートである。
【図１】
2005513542.tif 000003
【図２】
2005513542.tif 000004
【図３】
2005513542.tif 000005
【図４】
2005513542.tif 000006
【図５】
2005513542.tif 000007
【国際調査報告】
2005513542.tif 000008
2005513542.tif 000009
2005513542.tif 000010